(57)【要約】【課題】ノイズ遮蔽壁を有し、かつ小型化できる電源装置を提供する。【解決手段】電源装置１は、複数の電子部品２と、該複数の電子部品２を載置したベースプレート３と、ホルダー４とを備える。ホルダー４は、複数の電子部品２のうち一部の電子部品２をベースプレート３に押圧して保持している。電子部品２によって、主回路部１０と、該主回路部１０に電気的に接続したノイズフィルタ１１とが形成されている。ベースプレート３はノイズ遮蔽壁５を有する。ノイズ遮蔽壁５は、主回路部１０とノイズフィルタ１１との間に立設している。このノイズ遮蔽壁５によって、主回路部１０から放射される放射ノイズを遮蔽している。ノイズ遮蔽壁５に、ホルダー４を固定するためのホルダー固定部５１が形成されている。【選択図】図１
2014089994.tif 000002
【特許請求の範囲】
【請求項１】
電力変換を行う主回路部（１０）と、該主回路部（１０）と外部端子（１３）との間の電流経路に設けられたノイズフィルタ（１１）とを備えた電源装置（１）であって、
上記主回路部（１０）を構成する複数の主回路用電子部品（２ａ）と、
上記ノイズフィルタ（１１）を構成する複数のフィルタ用電子部品（２ｂ）と、
上記主回路用電子部品（２ａ）と上記フィルタ用電子部品（２ｂ）とを載置したベースプレート（３）と、
上記複数の主回路用電子部品（２ａ）と上記複数のフィルタ用電子部品（２ｂ）とのうち少なくとも一部の電子部品（２）を上記ベースプレート（３）に押圧して保持するホルダー（４）とを備え、
上記ベースプレート（３）は、上記主回路部（１０）と上記ノイズフィルタ（１１）との間に立設し上記主回路部（１０）から放射される放射ノイズを遮蔽するノイズ遮蔽壁（５）を有し、
該ノイズ遮蔽壁（５）に、上記ホルダー（４）を固定するためのホルダー固定部（５１）が形成されていることを特徴とする電源装置（１）。
【請求項２】
請求項１に記載の電源装置（１）において、複数の上記電子部品（２）のうち、少なくとも一部の主回路用電子部品（２ａ）と、少なくとも一部のフィルタ用電子部品（２ｂ）とを、それぞれ上記ホルダー（４）によって保持してあり、個々の上記ホルダー（４）を、上記ノイズ遮蔽壁（５）に形成した個々の上記ホルダー固定部（５１）に固定してあることを特徴とする電源装置（１）。
【請求項３】
請求項２に記載の電源装置（１）において、上記ノイズ遮蔽壁（５）には、少なくとも３個の上記ホルダー固定部（５１）が形成され、上記ベースプレート（３）の板厚方向から見たときに、それぞれの上記ホルダー固定部（５１）は、その少なくとも一部が、同一直線上に位置していることを特徴とする電源装置（１）。
【請求項４】
請求項２又は請求項３に記載の電源装置（１）において、上記フィルタ用電子部品（２ｂ）と、２個の上記主回路用電子部品（２ａ）とを上記ホルダー（４）によって保持しており、上記２個の主回路用電子部品（２ａ）をそれぞれ保持する上記ホルダー（４ａ，４ｂ）は第１ホルダー固定部（５１ａ）および第２ホルダー固定部（５１ｂ）に固定され、上記フィルタ用電子部品（２ｂ）を保持する上記ホルダー（４ｃ）は第３ホルダー固定部（５１ｃ）に固定され、上記フィルタ用電子部品（２ｂ）の一部（２６９）が、上記第１ホルダー固定部（５ａ）と上記第２ホルダー固定部（５ｂ）との間に位置していることを特徴とする電源装置（１）。
【請求項５】
請求項４に記載の電源装置（１）において、上記ノイズ遮蔽壁（５）のうち、上記第１ホルダー固定部（５１ａ）と上記第２ホルダー固定部（５１ｂ）とを繋ぐ部位（５９）は、上記第１ホルダー固定部（５１ａ）および上記第２ホルダー固定部（５１ｂ）よりも上記主回路部（１０）側に近づくように屈曲していることを特徴とする電源装置（１）。
【発明の詳細な説明】
【技術分野】
【０００１】
本発明は、ノイズフィルタを有する電源装置に関する。
【背景技術】
【０００２】
ＤＣ−ＤＣコンバータやＡＣ−ＤＣコンバータ等の電源装置として、ノイズフィルタを備えたものが知られている（下記特許文献１参照）。
【０００３】
ノイズフィルタには、入力フィルタと出力フィルタとがある。出力フィルタは、電源装置の主回路部と出力端子との間に設けられており、主回路部から発生し出力端子に伝わる伝導ノイズを除去する。これにより、出力端子から伝導ノイズが漏洩することを抑制している。また、入力フィルタは、入力端子と主回路部との間に設けられており、外部から入力端子を介して主回路部へ侵入する伝導ノイズを除去する。
【０００４】
電源装置を稼動すると、主回路部から、上記伝導ノイズと共に放射ノイズ（電磁波）が発生することが知られている。放射ノイズがノイズフィルタに鎖交すると、新たに伝導ノイズが発生し、ノイズの除去効率が低下する。そのため、下記特許文献１の電源装置では、ノイズフィルタと主回路部との間に、放射ノイズを遮蔽するためのノイズ遮蔽壁を設けている。
【先行技術文献】
【特許文献】
【０００５】
【特許文献１】特開２００１−４４６８５号公報
【発明の概要】
【発明が解決しようとする課題】
【０００６】
しかしながら、上記電源装置では、ノイズ遮蔽壁を設けるために装置内にスペースが必要となり、電源装置が大型化しやすいという問題がある。そのため、ノイズ遮蔽壁を有し、かつ小型化できる電源装置が望まれている。
【０００７】
本発明は、かかる背景に鑑みてなされたもので、ノイズ遮蔽壁を有し、かつ小型化できる電源装置を提供しようとするものである。
【課題を解決するための手段】
【０００８】
本発明の一態様は、電力変換を行う主回路部と、該主回路部と外部端子との間の電流経路に設けられたノイズフィルタとを備えた電源装置であって、
上記主回路部を構成する複数の主回路用電子部品と、
上記ノイズフィルタを構成する複数のフィルタ用電子部品と、
上記主回路用電子部品と上記フィルタ用電子部品とを載置したベースプレートと、
上記複数の主回路用電子部品と上記複数のフィルタ用電子部品とのうち少なくとも一部の電子部品を上記ベースプレートに押圧して保持するホルダーとを備え、
上記ベースプレートは、上記主回路部と上記ノイズフィルタとの間に立設し上記主回路部から放射される放射ノイズを遮蔽するノイズ遮蔽壁を有し、
該ノイズ遮蔽壁に、上記ホルダーを固定するためのホルダー固定部が形成されていることを特徴とする電源装置にある（請求項１）。
【発明の効果】
【０００９】
上記電源装置においては、上記ホルダーを固定するためのホルダー固定部を、ノイズ遮蔽壁に形成してある。そのため、ノイズ遮蔽壁の一部を、ホルダーを固定する部分（ホルダー固定部）としても利用でき、放射ノイズを遮蔽する部分（ノイズ遮蔽壁）としても利用できる。したがって、ノイズ遮蔽壁とは別に、ホルダーを固定するための専用の部位を形成する必要がなくなり、電源装置内部を省スペース化することができる。そのため、電源装置を小型化することができる。
【００１０】
なお、上記「電力変換を行う」とは、例えば、直流電力と交流電力との間の変換を行ったり、変圧したりすることを意味する。
【００１１】
以上のごとく、本発明によれば、ノイズ遮蔽壁を有し、かつ小型化できる電源装置を提供することができる。
【図面の簡単な説明】
【００１２】
【図１】実施例１における、電源装置の平面図。
【図２】実施例１における、ホルダーを取り除いた電源装置の拡大平面図。
【図３】実施例１における、電源装置の回路図。
【図４】図１のIV-IV断面図。
【図５】実施例１における、ダイオードモジュールの平面図。
【図６】実施例１における、フィルタ配線とノイズ遮蔽壁を表した図。
【図７】図１のVII-VII断面図。
【図８】図１のVIII-VIII断面図。
【図９】実施例２における、電源装置の平面図。
【図１０】実施例２における、ホルダーを取り除いた電源装置の平面図。
【図１１】実施例３における、電源装置の断面図。
【発明を実施するための形態】
【００１３】
上記電源装置は、例えば、車両に搭載された高圧直流電源の電圧を降圧して、上記車両に搭載された低圧直流電源を充電するためのＤＣ−ＤＣコンバータとすることができる。
【００１４】
また、上記電源装置において、複数の上記電子部品のうち、少なくとも一部の上記主回路用電子部品と、少なくとも一部の上記フィルタ用電子部品とを、それぞれ上記ホルダーによって保持してあり、個々の上記ホルダーを、上記ノイズ遮蔽壁に形成した個々の上記ホルダー固定部に固定してあることが好ましい（請求項２）
この場合には、より多くのホルダー固定部がノイズ遮蔽壁に形成されるため、ノイズ遮蔽壁の一部をホルダー固定部として利用することによる、省スペース化の効率を高めることができる。そのため、電源装置をより小型化することができる。
【００１５】
また、上記ノイズ遮蔽壁には、少なくとも３個の上記ホルダー固定部が形成され、上記ベースプレートの板厚方向から見たときに、それぞれの上記ホルダー固定部は、その少なくとも一部が、同一直線上に位置していることが好ましい（請求項３）。
この場合には、上記３個のホルダー固定部が、略一直線上に配列されることになる。そのため、ノイズ遮蔽壁のうち、両端のホルダー固定部の間に位置する部位を、大きく屈曲させなくてもすむ。したがって、ノイズ遮蔽壁の長さを短くすることができ、電源装置を軽量化することができる。
【００１６】
また、上記フィルタ用電子部品と、２個の上記主回路用電子部品とを上記ホルダーによって保持しており、上記２個の主回路用電子部品をそれぞれ保持する上記ホルダーは第１ホルダー固定部および第２ホルダー固定部に固定され、上記フィルタ用電子部品を保持する上記ホルダーは第３ホルダー固定部に固定され、上記フィルタ用電子部品の一部が、上記第１ホルダー固定部と上記第２ホルダー固定部との間に位置していることが好ましい（請求項４）。
この場合には、第１ホルダー固定部と第２ホルダー固定部との間の空間を、フィルタ用電子部品の一部を配置するための空間として有効活用することができる。そのため、電源装置をより小型化しやすい。
【００１７】
また、上記ノイズ遮蔽壁のうち、上記第１ホルダー固定部と上記第２ホルダー固定部とを繋ぐ部位は、上記第１ホルダー固定部および上記第２ホルダー固定部よりも上記主回路部側に近づくように屈曲していることが好ましい（請求項５）。
この場合には、フィルタ用電子部品とノイズ遮蔽壁との干渉を防止しつつ、フィルタ用電子部品を主回路部側へより接近させることができる。そのため、第１ホルダー固定部と第２ホルダー固定部との間に、フィルタ用電子部品の一部を入れやすくなる。したがって、電源装置内に無駄な空間ができることを抑制でき、電源装置をより小型化することができる。
【実施例】
【００１８】
（実施例１）
上記電源装置に係る実施例について、図１〜図８を用いて説明する。図１、図２に示すごとく、本例の電源装置１は、電力変換を行う主回路部１０と、該主回路部１０と外部端子１３との間の電流経路に設けられたノイズフィルタ１１とを備える。また、電源装置１は、主回路部１０を構成する複数の主回路用電子部品２ａと、ノイズフィルタ１１を構成する複数のフィルタ用電子部品２ｂと、ベースプレート３と、ホルダー４とを備える。
ベースプレート３には、主回路用電子部品２ａとフィルタ用電子部品２ｂとを載置してある。ホルダー４は、複数の主回路用電子部品２ａと複数のフィルタ用電子部品２ｂとのうち少なくとも一部の電子部品２を、ベースプレート３に押圧して保持している。
【００１９】
ベースプレート３は、ノイズ遮蔽壁５を有する。ノイズ遮蔽壁５は、主回路部１０とノイズフィルタ１１との間に立設しており、主回路部１０から放射される放射ノイズを遮蔽している。
このノイズ遮蔽壁５に、ホルダー４を固定するためのホルダー固定部５１が形成されている。
【００２０】
図３に示すごとく、本例の電源装置１はＤＣ−ＤＣコンバータである。電源装置１は、主回路用電子部品２ａとして、複数のスイッチング素子２８０（ＭＯＳ−ＦＥＴ）を内蔵した半導体モジュール２８と、トランス２１と、２個のダイオード２２０を内蔵したダイオードモジュール２２と、チョークコイル２３と、平滑コンデンサ２９とを備える。また、電源装置１は、フィルタ用電子部品２ｂとして、第１フィルタ用コイル２４と、第１フィルタ用コンデンサ２５と、第２フィルタ用コイル２６と、第２フィルタ用コンデンサ２７とを備える。
【００２１】
主回路部１０によって高圧直流電源１４の電圧を降圧し、ノイズフィルタ１１によって、主回路部１０から発生する伝導ノイズを除去している。そして、得られた低圧直流電力を使って、低圧直流電源１６を充電するよう構成されている。
【００２２】
本例では、半導体モジュール２８に含まれる４個のスイッチング素子２８０によって、ブリッジ回路を構成してある。スイッチング素子２８０のゲート端子は制御回路基板１２（図１参照）に接続している。この制御回路基板１２によって、スイッチング素子２８０のオンオフ動作を制御し、直流電圧を交流電圧に変換する。そして、トランス２１を使って、得られた交流電圧を降圧している。
【００２３】
トランス２１の二次コイル２１２は、２つの出力端子２１４，２１５と、センタータップ２１３とを備える。センタータップ２１３は、ベースプレート３を介してＧＮＤに接続されている。また、２つの出力端子２１４，２１５は、それぞれダイオード２２０に接続している。
【００２４】
トランス２１の二次電圧は、ダイオード２２０によって整流され、さらに、チョークコイル２３及び平滑コンデンサ２９によって平滑化される。平滑化した直流電圧には伝導ノイズが含まれるが、これは、ノイズフィルタ１１によって除去される。本例では、２個のフィルタ用コイル２４，２６及び２個のフィルタ用コンデンサ２５，２７を用いて、ローパスフィルタを２段、形成してある。これにより、高周波ノイズの除去効率を高めている。
【００２５】
図１、図２に示すごとく、ベースプレート３に、制御回路基板１２がボルト締結されている。この制御回路基板１２とベースプレート３との間に、半導体モジュール２８（図３参照）と平滑コンデンサ２９（図３参照）とが配されている。ベースプレート３とノイズ遮蔽壁５は金属製である。また、ベースプレート３に、トランス２１を保持してある。トランス２１の入力端子２１９は、半導体モジュール２８（図３参照）に接続している。トランス２１の出力端子２１４，２１５は、ダイオードモジュール２２（図４参照）に接続している。ダイオードモジュール２２は、チョークコイル２３とベースプレート３との間に配されている。
【００２６】
ダイオードモジュール２２の出力端子２２１（図５参照）は、チョークコイル２３の入力端子２３５に接続している。チョークコイル２３の出力端子２３０は、ノイズフィルタ１１のフィルタ配線１１０に接続している。
【００２７】
図４に示すごとく、チョークコイル２３は、磁性体からなる２つのコア２３１，２３２と、該コアの内部に設けられた電磁コイル２３３とを備える。電磁コイル２３３に電流が流れると磁束が発生し、コア２３１，２３２を流れる。本例のチョークコイル２３は、２個のコア２３１，２３２を、ベースプレート３の板厚方向（Ｚ方向）に重ね合わせてある。そして、ホルダー４（４ｂ）を使って、コア２３１をベースプレート３に向けて押圧している。これにより、コア２３１，２３２と電磁コイル２３３とを一体化し、ベースプレート３に保持している。なお、トランス２１も同様に複数のコアを重ね合わせた構造を有しており、このコアを、ホルダー４（４ａ）を使ってベースプレート３に向けて押圧し、保持してある。
【００２８】
図４に示すごとく、ベースプレート３には、チョークコイル２３を支持するための、複数のボス３９を設けてある。ボス３９によって、チョークコイル２３とベースプレート３との間に隙間を形成している。そして、この隙間に、ダイオードモジュール２２を配してある。
【００２９】
図１、図６に示すごとく、ノイズフィルタ１１は、バスバーからなるフィルタ配線１１０を備える。フィルタ配線１１０の一方の端部１１９は、上述したようにチョークコイル２３の出力端子２３０に接続している。また、フィルタ配線１１０は、外部端子１３に接続している。
【００３０】
フィルタ配線１１０には、磁性体からなる環状コア２４０，２６０を取り付けてある。図７に示すごとく、環状コア２６０は、第１コア部２６１と第２コア部２６２との、２つのコア部を有する。環状コア２６０の内部に配線挿通孔２６９が形成されている。この配線挿通孔２６９にフィルタ配線１１０を挿通してある。フィルタ配線１１０に電流が流れると、フィルタ配線１１０の周囲に磁束が発生し、環状コア２６０を流れる。本例ではこのように、環状コア２６０とフィルタ配線１１０とによって、第２フィルタ用コイル２６を構成している。
【００３１】
環状コア２６０の第１コア部２６１と第２コア部２６２とは、Ｚ方向に重ね合わされている。本例では、ホルダー４（４ｃ）を使って、第１コア部２６１をベースプレート３に向けて押圧している。これにより、第１コア部２６１と第２コア部２６２とを一体化し、ベースプレート３に保持している。
なお、第１フィルタ用コイル２４（図１参照）も同様の構造になっている。第１フィルタ用コイル２４のコアは、補助ホルダー４９によって、ベースプレート３に保持されている。
【００３２】
また、第２フィルタ用コンデンサ２７は、図８に示すごとく、コンデンサ素子２７０と、該コンデンサ素子２７０に接続した端子２７１，２７２と、コンデンサ素子２７０を封止する封止部２７３とを備える。一方の端子２７１はフィルタ配線１１０に接続され、他方の端子２７２はノイズ遮蔽壁５に接続されている。なお、第１フィルタ用コンデンサ２５も同様の構造になっている。
【００３３】
図６に示すごとく、フィルタ配線１１０は、チョークコイル２３の出力端子２３０の突出方向（Ｘ方向）とＺ方向との双方に直交する方向（Ｙ方向）に延出する第１延出部１１１と、該第１延出部１１に連なりＸ方向に延出する第２延出部１１２とを有する。
【００３４】
図２に示すごとく、ホルダー固定部５１は略円柱状に形成されている。ホルダー固定部５１の直径は、ノイズ遮蔽壁５のうちホルダー固定部５１を形成していない部分の厚さよりも長い。また、ホルダー固定部５１には、雌螺子部５００が形成されている。この雌螺子部５００に雄螺子を螺合することにより、ホルダー４（図１参照）を固定している。
【００３５】
ノイズ遮蔽壁５には、第１ホルダー固定部５１ａと、第２ホルダー固定部５１ｂと、第３ホルダー固定部５１ｃとの３個のホルダー固定部５１（５１ａ，５１ｂ，５１ｃ）が形成されている。
【００３６】
本例では図１に示すごとく、第１ホルダー固定部５１ａに第１ホルダー４ａ（図１参照）を螺子固定している。この第１ホルダー４ａによって、トランス２１のコアをＺ方向に押圧し、保持している。また、第２ホルダー固定部５１ｂに第２ホルダー４ｂを螺子固定している。この第２ホルダー４ｂによって、チョークコイル２３のコア２３１をＺ方向に押圧し、保持している。また、第３ホルダー固定部５１ｃに第３ホルダー４ｃを螺子固定してある。この第３ホルダー４ｃによって、第２フィルタ用コイル２６の環状コア２６０をＺ方向に押圧し、保持している。
【００３７】
図２に示すごとく、第３ホルダー固定部５１ｃは、Ｘ方向において、第１ホルダー固定部５１ａと第２ホルダー固定部５１ｂとの間に設けられている。Ｚ方向から見たときに、第１ホルダー固定部５１ａの一部と、第２ホルダー固定部５１ｂの一部と、第３ホルダー固定部５１ｃの一部とは、一つの直線Ａ１上に位置している。
【００３８】
また、図２に示すごとく、ノイズ遮蔽壁５のうち、第１ホルダー固定部５１ａと第２ホルダー固定部５１ｂとを繋ぐ部位５９は、Ｙ方向において、第１ホルダー固定部５１ａおよび第２ホルダー固定部５１ｂよりも主回路部１０側に近づくように屈曲している。そして、この屈曲した部位５９に、環状コア２６０の一部２６９が入っている。環状コア２６０の一部２６９は、Ｘ方向において、第１ホルダー固定部５１ａと第２ホルダー固定部５１ｂとの間に位置している。
なお、ノイズ遮蔽壁５のうち、第１ホルダー固定部５１ａを設けた部位５７と、第２ホルダー固定部５１ｂを設けた部位５８とは、Ｘ方向に延出している。
【００３９】
図４に示すごとく、ホルダー４は、ホルダー固定部５１の端面５１０に載置され螺子止めされる被締結部４１と、該被締結部４１からＺ方向に立設する立設部４２と、該立設部４２から斜め方向に延出し電子部品２を押圧する押圧部４３とを備える。電子部品２からは放射ノイズＮが放射されるが、この放射ノイズＮは、ノイズ遮蔽壁５（ホルダー固定部５１）によって遮蔽される。放射ノイズＮの一部は、ホルダー４の立設部４２によって遮蔽される。また、ベースプレート３には、金属製の蓋部１５を取り付けてある。この蓋部１５によって、放射ノイズＮを遮蔽し、放射ノイズＮが外部へ放射されることを抑制している。
【００４０】
本例の作用効果について説明する。本例では図１、図２に示すごとく、ノイズ遮蔽壁５に、ホルダー４を固定するためのホルダー固定部５１を形成してある。したがって、ノイズ遮蔽壁５の一部を、ホルダー４を固定する部分（ホルダー固定部５１）としても利用でき、放射ノイズＮを遮蔽する部分（ノイズ遮蔽壁５）としても利用できる。
そのため、ノイズ遮蔽壁５とは別に、ホルダー４を固定するための専用の部位を形成する必要がなくなる。これにより、電源装置１内部を省スペース化することができ、電源装置１を小型化することが可能となる。
【００４１】
また、本例では図１に示すごとく、主回路用電子部品２ａ（トランス２１、チョークコイル２３）と、フィルタ用電子部品２ｂ（第２フィルタ用コイル２６）との双方を、ホルダー４によって保持してある。そして、個々のホルダー４ａ〜４ｃを固定するためのホルダー固定部５１ａ〜５１ｃを、ノイズ遮蔽壁５に形成してある。
このようにすると、多くのホルダー固定部５１がノイズ遮蔽壁５に形成されることになる。そのため、省スペース化の効率を高めることができ、電源装置１をより小型化できる。
【００４２】
また、図２に示すごとく、本例では、Ｚ方向から見たときに、第１ホルダー固定部５１ａの一部と、第２ホルダー固定部５１ｂの一部と、第３ホルダー固定部５１ｃの一部とが、同一直線Ａ１上に位置している。
そのため、３個のホルダー固定部５１が、略一直線上に配列することになる。したがって、ノイズ遮蔽壁５のうち、両端のホルダー固定部５１（第１ホルダー固定部５１ａおよび第２ホルダー固定部５１ｂ）の間に位置する部位５９を、大きく屈曲させなくてもすむ。そのため、ノイズ遮蔽壁５の長さを短くすることができる。これにより、ベースプレート３を軽量化することが可能になる。
【００４３】
また、図２に示すごとく、本例では、第２フィルタ用コイル２６（フィルタ用電子部品２ｂ）の一部２６９が、第１ホルダー固定部５１ａと第２ホルダー固定部５１ｂとの間に位置している。
そのため、第１ホルダー固定部５１ａと第２ホルダー固定部５１ｂとの間の空間を、第２フィルタ用コイル２６の一部２６９を配置するための空間として、有効活用することができる。これにより、電源装置１をより小型化することが可能になる。
【００４４】
また、本例では図２に示すごとく、ノイズ遮蔽壁５のうち、第１ホルダー固定部５１ａと第２ホルダー固定部５１ｂとを繋ぐ部位５９が、第１ホルダー固定部５１ａおよび第２ホルダー固定部５１ｂよりもＹ方向において主回路部１０側に近づくように屈曲している。そして、この屈曲した部位５９に、環状コア２６０の一部２６９が入るようにしてある。そのため、環状コア２６０をより主回路部１０側に近づけることができる。したがって、電源装置１内に無駄なスペースが形成されることを抑制でき、電源装置１を小型化できる。
【００４５】
また、本例では、図１に示すごとく、主回路用電子部品２ａのうち、トランス２１とチョークコイル２３を、ホルダー４によって保持してある。これらトランス２１とチョークコイル２３は、通電により磁束を発生する部分（電磁コイル：図４参照）と、磁束が流れるコアとを備える。このような部品は、動作に伴って交流磁界等（放射ノイズＮ）を発生しやすい。本例のように、放射ノイズＮを発生しやすい主回路用電子部品２ａ（トランス１、チョークコイル２３）の近傍にホルダー固定部５１を配置し、かつ、このホルダー固定部５１にノイズ遮蔽機能を持たせると、ホルダー固定部５１は直径が大きいため、放射ノイズＮを効果的に遮蔽することができる。したがって、ノイズフィルタ１１に放射ノイズＮが伝わりにくくなり、ノイズ除去効率を高めることができる。
【００４６】
以上のごとく、本発明によれば、ノイズ遮蔽壁を有し、かつ小型化できる電源装置を提供することができる。
【００４７】
（実施例２）
本例は、ノイズ遮蔽壁５の形状を変更した例である。図９、図１０に示すごとく、本例のノイズ遮蔽壁５は、実施例１と同様に、第３ホルダー固定部５１ｃを設けた部位５９がＸ方向に延出している。この部位５９から斜方延出部５７１が、第２フィルタ用コンデンサ２７に向って斜め方向に延出している。そして、斜方延出部５７１から、直線状延出部５７２がＸ方向に延出している。ノイズ遮蔽壁５の端部５７３は、直線状延出部５７２からＹ方向に突出している。この端部５７３に、第２フィルタ用コンデンサ２７の端子２７２が接続している。本例では、実施例１と比較して、第２フィルタ用コンデンサ２７が、Ｙ方向において外部端子１３に近い位置に設けられている。そして、第２フィルタ用コンデンサ２７の近傍に、直線状延出部５７２が形成されている。
【００４８】
また、本例のノイズ遮蔽壁５は、斜方延出部５７１の中央からＸ方向に延出した中央延出部５７４を備える。この中央延出部５７４に、第１ホルダー固定部５１ａを形成してある。第１ホルダー固定部５１ａと第２フィルタ用コンデンサ２７との間に、直線状延出部５７２が位置している。
【００４９】
本例の作用効果について説明する。本例では、第２フィルタ用コンデンサ２７を、外部端子１３の近傍に接続してあるため、高周波の伝導ノイズを、外部端子１３の直前において、ベースプレート３に流すことができる。そのため、外部端子１３に伝導ノイズがより混入しにくくなり、ノイズフィルタ１１によるノイズ除去効率をより高めることができる。
【００５０】
また、本例では、トランス２１から放射される放射ノイズを、第１ホルダー固定部５１ａと直線状延出部５７２との双方によって遮蔽することができる。そのため、第２フィルタ用コンデンサ２７に鎖交する放射ノイズの量を、より低減することができる。
【００５１】
その他は、実施例１と同様である。また、本例に関する図面に用いた符号のうち、実施例１において用いた符合と同一のものは、特に示さない限り、実施例１と同様の構成要素等を表す。
【００５２】
（実施例３）
本例は、ホルダー４の形状を変更した例である。図１１に示すごとく、本例のホルダー４は平板状に形成されている。ホルダー４の一部は、実施例１と同様に、ホルダー固定部５１に固定されている。本例では、平板状のホルダー４を、電子部品２（チョークコイル２３）の上面２３９に接触させ、Ｚ方向に押圧している。これにより、電子部品２をベースプレート３に保持している。
【００５３】
上記構成にすると、ホルダー４が平板状に形成されているため、チョークコイル２３の上面２３９と、ホルダー固定部５１の端面５１０とのＺ方向高さを、略同じにすることができる。すなわち、ホルダー固定部５１やノイズ遮蔽壁５のＺ方向長さを長くすることができる。そのため、放射ノイズＮの遮蔽効果をより高めることができる。
【００５４】
その他は、実施例１と同様である。また、本例に関する図面に用いた符号のうち、実施例１において用いた符合と同一のものは、特に示さない限り、実施例１と同様の構成要素等を表す。
【符号の説明】
【００５５】
１  電源装置
１０  主回路部
１１  ノイズフィルタ
２  電子部品
２ａ  主回路用電子部品
２ｂ  フィルタ用電子部品
３  ベースプレート
４  ホルダー
５  ノイズ遮蔽壁
５１  ホルダー固定部
【図１】
2014089994.tif 000003
【図２】
2014089994.tif 000004
【図３】
2014089994.tif 000005
【図４】
2014089994.tif 000006
【図５】
2014089994.tif 000007
【図６】
2014089994.tif 000008
【図７】
2014089994.tif 000009
【図８】
2014089994.tif 000010
【図９】
2014089994.tif 000011
【図１０】
2014089994.tif 000012
【図１１】
2014089994.tif 000013